(57)【要約】      （修正有）【課題】外装用ルーバーの端部同士を容易に連結でき、ルーバー側の加工を要さず、連結部分が外観を阻害せずに高強度で耐久性に優れたものになる連結装置を提供する。【解決手段】中空部１０の後面側に後方へ開く奥広溝部１１が連設されたルーバー１Ａ，１Ｂを、短筒体２１及び座板２２を備えた連結材２にて連結する。連結材２の短筒体２１と、各々表側から一対のボルト２４を挿通させた座板２２とを小間隔ｄを余してストッパービス２３で繋ぎ止め、連結すべき一方のルーバー１Ａの中空部１０及び奥広溝部１１に短筒体２１及び座板２２を各々挿嵌し、ルーバー１Ａの端部から突出した連結材２の短筒体２１及び座板２２を他方のルーバー１Ｂの中空部１０及び奥広溝部１１に挿嵌し、両ボルト２４にナット２５を螺合緊締することで、両ルーバー１Ａ，１Ｂを連結固定する。【選択図】図５
2020007740.tif 000002
【特許請求の範囲】
【請求項１】
中空型材からなるルーバーの端部同士を連結材を介して連結する装置であって、
前記ルーバーは、中空部の後面側に後方へ開く奥広溝部が連設され、
前記接続材は、ルーバーの中空部に適嵌挿入し得る短筒体と、ルーバーの奥広溝部に摺動自在で且つ後方離脱不能に挿嵌し得る細長い座板と、これら短筒体及び座板の中間部同士を繋ぎ止めるストッパービスと、該座板の長手方向両側部に設けたボルト挿通孔に挿通し得る一対のボルトと、両ボルトに螺着させるナットとからなり、
前記接続材の短筒体と、前記の両ボルト挿通孔に各々表側から前記ボルトを挿通させた座板とを小間隔を余して前記ストッパービスで繋ぎ止めた状態で、連結すべき一方のルーバーの端部に対し、その中空部及び奥広溝部に該短筒体及び座板を各々挿嵌し、このルーバー端部から突出した該連結材の短筒体及び座板を連結すべき他方のルーバーの中空部及び奥広溝部に挿嵌し、前記両ボルトにナットを螺合緊締することで、両ルーバーを奥広溝部の両側開口縁部と座板との圧接によって連結固定するように構成されてなる外装用ルーバーの連結装置。
【請求項２】
一方のルーバーと他方のルーバーとが前記連結材を介して相互の端部を離間した状態で連結されてなる請求項１に記載の外装用ルーバーの連結装置。
【請求項３】
ルーバーの中空部内の前後両側に長手方向に連続するビスホール突条を有し、
前記連結材の短筒体及び座板が金属型材からなり、その短筒体の前後両外面に前記ビスホール突条が納まる凹陥部を有すると共に、座板の前面側に前記ボルトの頭部が回転不能に納まる溝部を有してなる請求項１又は２に記載の外装用ルーバーの連結装置。
【請求項４】
ルーバーは、縦型であって、中空部が前後に長い矩形断面を備える請求項１〜３のいずれかに記載の外装用ルーバーの連結装置。
【発明の詳細な説明】
【技術分野】
【０００１】
本発明は、ビルやマンションの如き建物の外壁や屋外階段室等に設置する化粧格子として好適な外装用ルーバーの連結装置に関する。
【背景技術】
【０００２】
外装用ルーバーは、建物壁面の装飾、窓等の開口部の目隠し、採光又は遮光、通風等の様々な目的で使用されるが、近年では建物の化粧格子として外壁の略全体や広い領域を覆うように設置されることも多い。ところが、従来におけるこの種の化粧格子では、例えば特許文献１の図１や特許文献２の図４で例示されるように、同じ長さのルーバーを平行配設した形態であるから、建物躯体に対して各ルーバーの上下部と要すれば中間部を適当な取付金具を介して取り付ければよいが、画一的な外観になって意匠性に乏しかった。
【先行技術文献】
【特許文献】
【０００３】
【特許文献１】特開２００８−８００５号公報（図１）
【特許文献２】特開２０１６−１６９５０６号公報（図４）
【発明の開示】
【発明が解決しようとする課題】
【０００４】
上述した化粧格子の意匠性を高める好適な手段として、例えば図８に示すように、ビルＢの壁面の略全体に平行配設した縦型のルーバー１を各々適当部位で不連続とし、平行するルーバー１の切れ目Ｇ同士が格子面で外観的に線状に繋がるように設定することで、壁面全体に任意の線状模様を描く方法が考えられる。しかるに、このような方法では、各ルーバーの長さを変化させることになるから、一定長さのルーバー原材を用いる場合、短い部位には切断して適用できるが、長い部位では複数本を継ぎ足す必要があり、その継ぎ足しが容易で連結部分を高強度になしうる連結手段が求められる。
【０００５】
本発明は、上述の事情に鑑みて、ルーバーの端部同士を能率よく容易に連結できることに加え、ルーバー側の加工を要することなく、連結部分が外観を阻害せずに高強度で耐久性に優れたものになる外装用ルーバーの連結装置を提供することを目的としている。
【課題を解決するための手段】
【０００６】
上記目的を達成するための手段を図面の参照符号を付して示せば、請求項１の発明に係る外装用ルーバーの連結装置は、中空型材からなるルーバー１Ａ，１Ｂの端部同士を連結材２を介して連結する装置であって、ルーバー１Ａ，１Ｂは、中空部１０の後面側に後方へ開く奥広溝部１１が連設され、連結材２は、ルーバー１１Ａ，１Ｂの中空部１０に適嵌挿入し得る短筒体２１と、ルーバー１１Ａ，１Ｂの奥広溝部１１に摺動自在で且つ後方離脱不能に挿嵌し得る細長い座板２２と、これら短筒体２１及び座板２２の中間部同士を繋ぎ止めるストッパービス２３と、該座板２２の長手方向両側部に設けたボルト挿通孔２２ｃに挿通し得る一対のボルト２４と、両ボルト２４に螺着させるナット２５とからなり、連結材２の短筒体２１と、両ボルト挿通孔２２ｃに各々表側からボルト２４を挿通させた座板２２とを小間隔ｄを余してストッパービス２３で繋ぎ止めた状態で、連結すべき一方のルーバー１Ａの端部に対し、その中空部１０及び奥広溝部１１に該短筒体２１及び座板２２を各々挿嵌し、このルーバー端部から突出した該連結材２の短筒体２１及び座板２２を連結すべき他方のルーバー１Ｂの中空部１０及び奥広溝部１１に挿嵌し、両ボルト２４にナット２５を螺合緊締することで、両ルーバー１Ａ，１Ｂを奥広溝部１１の両側開口縁部１１ａと座板２２との圧接によって連結固定するように構成されてなる。
【０００７】
請求項２の発明は、上記請求項１の外装用ルーバーの連結装置において、一方のルーバー１Ａと他方のルーバー１Ｂとが連結材２を介して相互の端部を離間した状態で連結されてなる構成としている。
【０００８】
請求項３の発明は、上記請求項１又は２の外装用ルーバーの連結装置において、ルーバー１Ａ，１Ｂの中空部１０内の前後両側に長手方向に連続するビスホール突条１２を有し、連結材２の短筒体２１及び座板２２が金属型材からなり、その短筒体２１の前後両外面にビスホール突条１２が納まる凹陥部２１ａを有すると共に、座板２２の前面側にボルト２３の頭部２３ａが回転不能に納まる溝部２２ａを有してなる構成としている。
【０００９】
請求項４の発明は、上記請求項１〜３のいずれかの外装用ルーバーの連結装置において、ルーバー１Ａ，１Ｂは、縦型であって、中空部１０が前後に長い矩形断面を備えるものとしている。
【発明の効果】
【００１０】
次に、本発明の効果について、図面の参照符号を付して説明する。請求項１の発明に係る外装用ルーバーの連結装置では、連結材２の短筒体２１と一対のボルト２４を挿通させた座板２２とを、小間隔ｄを余してストッパービス２３で繋ぎ止めた状態とし、まず連結すべき一方のルーバー１Ａの端部に対し、その中空部１０及び奥広溝部１１に該短筒体２１及び座板２２を各々挿嵌する。このとき、連結材２の短筒体２１と座板２２との間にルーバー１Ａの奥広溝部１１の底壁１１ｂが嵌入するが、該短筒体２１と座板２２の中間部を繋ぐストッパービス２３が該底壁１１ｂの端面に当接することで、短筒体２１及び座板２２のより以上の挿嵌が不能になる。次いで、ルーバー端部から突出した該連結材２の短筒体２１及び座板２２を連結すべき他方のルーバー１Ｂの中空部１０及び奥広溝部１１に挿嵌し、両ボルト２４にナット２５を螺合緊締することで、両ルーバー１Ａ，１Ｂを奥広溝部１１の両側開口縁部１１ａ，１１ａと座板２２との圧接によって連結固定する。
【００１１】
従って、この連結装置によれば、連結した両ルーバー１Ａ，１Ｂは、両者の中空部１０，１０にわたって連結材２の短筒体２１が適嵌挿入していることから、外力を受けても連結部分で折れ曲がる懸念がない上、連結材２の座板２２に予め組み付けたボルト２４にナット２５を螺合緊締するだけで、奥広溝部１１の両側開口縁部１１ａ，１１ａが該座板２２とナット２５との間で挟着され、がたつきのない強固な連結状態となり、また連結部分がルーバー１Ａ，１Ｂの後面側になるために外観の低下をきたさない。一方、連結操作においては、一方のルーバー１Ａの中空部１０及び奥広溝部１１に連結材２の短筒体２１及び座板２２を挿嵌してゆくと、ストッパービス２３の当接位置で停止し、全体がルーバー１Ａ内に入り込んで操作不能に陥ることがなく、高い作業性が得られる。更に、ルーバー側にはねじ孔やボルト孔等を設ける必要がなく、その中空型材を後加工を要さずにそのまま使用できるから、高い作業能率が得られる。
【００１２】
請求項２の発明によれば、一方のルーバー１Ａと他方のルーバー１Ｂとが連結材２を介して相互の端部を離間した状態で連結されており、その連結部分が摩擦力で固定されているから、ルーバーの温度変化に伴う伸縮を端部相互の離間範囲で吸収でき、もって該伸縮による曲がりや断裂が防止される。
【００１３】
請求項３の発明によれば、ルーバー１Ａ，１Ｂが中空部１０内の前後両側にビスホール突条１２を有する場合に、連結材２の短筒体２１は前後両外面の凹陥部２１ａに該ビスホール突条１２を納める形で支障なく中空部１０内へ挿嵌できる。また、該連結材２の座板２２は、前面側の溝部２２ａにボルト２３の頭部２３ａが回転不能に納まることで、ルーバー１Ａ，１Ｂの広幅溝部１１内へ支障なく挿嵌できる共に、連結操作時にボルト２３が回転しないのでナット２５の螺合緊締を容易に行える。
【００１４】
請求項４の発明によれば、縦型ルーバーの場合に、下側のルーバー１Ａの中空部１０及び奥広溝部１１に連結材２の短筒体２１及び座板２２を上から挿嵌してゆく際、ストッパービス２３によって全体が自重でルーバー１Ａ内に落ち込むのを回避できると共に、該ストッパービス２３による挿嵌停止位置でルーバー１Ａの上端からの短筒体２１及び座板２２の突出量を適正に設定できる。
【図面の簡単な説明】
【００１５】
【図１】本発明の一実施形態に係る外装用ルーバーの連結装置に用いる連結材の分解斜視図である。
【図２】同連結材の組付状態の一部破断側面図である。
【図３】同連結装置の連結対象とするルーバーの横断面図である。
【図４】同連結装置による連結操作を示し、（ａ）は下側ルーバーに対する連結材の挿嵌前の縦断側面図、（ｂ）は挿嵌後の縦断側面図である。
【図５】同連結装置による連結操作を示し、（ａ）は取付後の連結材に対する上側ルーバーの挿嵌前の縦断側面図、（ｂ）は挿嵌後の側面図である。
【図６】図５（ｂ）のＸ−Ｘ線の矢視断面図である。
【図７】ルーバーの建物躯体側への取付状態を示し、（ａ）は縦断側面図、（ｂ）は要部の横断平面図である。
【図８】ビル壁面に設けたルーバーの化粧格子の構成例を示す正面図である。
【発明を実施するための形態】
【００１６】
以下に、本発明の一実施形態に係る外装用ルーバーの連結装置について、図面を参照して具体的に説明する。なお、本実施形態での連結装置は、図１及び図２に示す連結材２にて図３で示す同一横断面形状のルーバー１Ａ，１Ｂ同士を連結するものである。
【００１７】
図１及び図２に示すように、連結材２は、偏平角筒状の短筒体２１、細長い座板２２、一本のストッパービス２３、各々一対のボルト２４及びナット２５とワッシャ２６、より構成されている。なお、短筒体２１及び座板２２はアルミニウム又はその合金の押出型材からなり、短筒体２１よりも座板２２の方が若干短くなっている。
【００１８】
短筒体２１は、幅狭の前後面に各々長手方向に連続する凹陥部２１ａを有しており、後面側の凹陥部２１ａの長手方向中間部にねじ孔２１ｂを有している。また、座板２２は、前面側に長手方向に連続する溝部２２ａを有すると共に、左右両側の全長にわたって後方へ曲折する係合突条２２ｂが一体形成されており、上下部一対のボルト挿通孔２２ｃと長手方向中間部のビス挿通孔２２ｄとが溝部２２ａに臨んで前後方向に貫設されている。なお、座板２２の溝部２２ａはボルト２４の頭部２４ａが回転不能に納まる幅及び深さに設定されている。
【００１９】
ルーバー１Ａ，１Ｂは、アルミニウム又はその合金の押出型材からなり、図３に示すように、全体が左右幅の狭い偏平角筒状をなし、中空部１０の後面側に後方へ開く奥広溝部１１が連設されている。そして、中空部１０内の前後両側にビスホール突条１２を有する一方、奥広溝部１１の両側開口縁部１１ａ，１１ａが内向きに鉤形に曲折している。
【００２０】
連結材２の短筒体２１は、ルーバー１Ａ，１Ｂの中空部１０内に適嵌挿入し得る断面サイズ及び断面形状に設定され、その挿入時には前後面の凹陥部２１ａにルーバー１Ａ，１Ｂ側のビスホール突条１２が納まるようになっている。また、該連結材２の座板２２も、ルーバー１Ａ，１Ｂの奥広溝部１１に適嵌挿入し得る断面サイズ及び断面形状に設定され、その挿入時には左右両側の各係合突条２２ｂがルーバー１Ａ，１Ｂ側の奥広溝部１１の各開口縁部１１ａに内側から係合するようになっている。
【００２１】
この連結材２の使用に際しては、図２に示すように、座板２２に前側から一対のボルト２４をボルト頭部２４ａが溝部２２ａに納まるように装着し、この座板２２のビス挿通孔２２ｄに後側から挿通したストッパービス２３を短筒体２１のねじ孔２１ｂに螺挿することにより、予め該短筒体２１と座板２２とを両者間に小間隔ｄを余すように中間部同士で繋ぎ止めておく。
【００２２】
そして、両ルーバー１Ａ，１Ｂを縦型ルーバーとして連結する場合、まず図４（ａ）に示すように、下側のルーバー１Ａの中空部１０及び奥広溝部１１に、上方から連結材２の短筒体２１及び座板２２を挿嵌させる。このとき、ルーバー１Ａの奥広溝部１１の底壁１１ｂが短筒体２１と座板２２との小間隔ｄに入り込むことになるが、図４（ｂ）に示すように、該底壁１１ｂの上端がストッパービス２３に接当することにより、短筒体２１及び座板２２は更なる挿嵌が不能となる。次に、下側のルーバー１Ａから略上半部が突出した連結材２の短筒体２１及び座板２２に対し、図５（ａ）に示すように、上側のルーバー１Ｂを上方から外嵌させ、その中空部１０及び奥広溝部１１に短筒体２１及び座板２２を挿嵌させる。この場合も短筒体２１と座板２２との小間隔ｄに上側のルーバー１Ｂの奥広溝部１１の底壁１１ｂが入り込むことになるが、上側のルーバー１Ｂは一杯まで挿嵌させず、図示のように両ルーバー１Ａ，１Ｂの端部間に適度の間隔ｓ（通常１０〜３０ｍｍ程度）で離間した状態で、座板２２から突出している各ボルト２４にワッシャ２６を介してナット２５を螺合緊締することにより、両ルーバー１Ａ，１Ｂの連結を完了する。
【００２３】
かくして連結した両ルーバー１Ａ，１Ｂは、図６に示すように、奥広溝部１１の両側開口縁部１１ａ，１１ａと座板２２とがボルト２４とナット２５間で挟着されて圧接した状態にあるが、両者の中空部１０，１０にわたって連結材２の短筒体２１が適嵌挿入していることから、外力を受けても連結部分で折れ曲がる懸念がない上、がたつきのない強固な連結状態となる。また、連結部分がルーバー１Ａ，１Ｂの後面側になるため、外観の低下をきたさない。
【００２４】
一方、連結操作においては、下側のルーバー１Ａの中空部１０及び奥広溝部１１に連結材２の短筒体２１及び座板２２を上から挿嵌してゆく際、ストッパービス２３によって全体が自重でルーバー１Ａ内に落ち込むんで操作不能に陥るのを回避できると共に、該ストッパービス２３による挿嵌停止位置でルーバー１Ａの上端からの短筒体２１及び座板２２の突出量を適正に設定できる。また、ルーバー１Ａ，１Ｂ側にはねじ孔やボルト孔等を設ける必要がなく、連結材２の座板２２に予め組み付けたボルト２４にナット２５を螺合緊締するだけで両ルーバー１Ａ，１Ｂを連結固定できるから、高い作業能率が得られる。更に、実施形態のように両ルーバー１Ａ，１Ｂが相互の端部を離間した状態で連結されている構成では、両ルーバー１Ａ，１Ｂに温度変化に伴う伸縮を生じた際、連結部分が摩擦力による固定であるから、その伸縮による長さ変化が離間した間隔ｓの範囲で吸収され、該伸縮による曲がりや断裂が防止されるという利点がある。
【００２５】
なお、実施形態では縦型ルーバーとして下側のルーバー１Ａに上側のルーバー１Ｂを連結する構成を例示したが、本発明の連結装置は横型ルーバーや斜め型ルーバーの連結にも適用できる。これら横型ルーバーや斜め型ルーバーでも、一方のルーバーの中空部及び奥広溝部に連結材２の短筒体２１及び座板２２を挿嵌してゆくと、ストッパービス２３の当接位置で停止するから、全体がルーバー１Ａ内に入り込んで操作不能に陥ることがないと共に、ストッパービス２３による位置決め作用で他方のルーバーに対する連結材２の挿嵌長さを充分に確保でき、高い作業性が得られる。
【００２６】
建物躯体側に対するルーバーの取付構造については特に制約されないが、図７（ａ）（ｂ）に例示するように、前記連結具２における座板２２と同様の断面形状で長さの短い座板金具３を利用すれば、簡単な操作でルーバーを〓体側に取り付けることができる。この座板金具３は、１本のボルト３１をボルト頭部３１ａが溝部３ａに回転不能に納まるように装着した状態で、ルーバー１の奥広溝部１１に挿嵌させるものである。そして、建物上下部のＲＣ躯体５Ａ，５Ｂや中間部の胴縁６に固着した縦断面Ｌ字形の取付金具４に対し、該取付金具４に設けたボルト挿通孔４ａにボルト３１を挿通し、後方から該ボルト３１にワッシャ３３を介してナット３２を螺合緊締するだけで、容易にルーバー１の取り付けを行える。なお、取付金具４は、横長のアングル材からなり、ＲＣ躯体５Ａ，５Ｂ側では接着系アンカー８を介して埋設したアンカーボルト７ａとナット７ｂにより、胴縁６側ではボルト９ａとナット９ｂにより、それぞれ複数箇所で固着されている。また、ルーバー１は、建物躯体側に対し、既述の連結によって長尺としたものでは上下部と中間部を含む３カ所以上で取り付けることになるが、短いものでは上下二カ所、切断によって更に短尺化したものでは一カ所と、長さによって必要な取付部位と数は変わることになる。
【００２７】
本発明の連結装置は、実施形態として例示した以外の種々の断面形状を有する外装用ルーバーにも同様に適用可能であり、その中空部１０及び奥広溝部１１のサイズと断面形状に対応して、連結材２の短筒体２１及び座板２２のサイズと断面形状を適宜設定すればよい。例えば、前記実施形態ではルーバー１Ａ，１Ｂにおける中空部１０内のビスホール突条１２に対応して短筒体２１の前後面に凹陥部２１ａを形成しているが、ビスホール突条１２を有しないルーバーにも当然に適用可能である。この場合には、短筒体２１として、前後面に凹陥部２１ａを形成したものをそのまま採用してもよいが、普通には前後面を平坦面とし、その後面にストッパービス２３を螺挿するねじ孔２１ａを設けたものを使用する。また、適用する外装用ルーバーは、図８で例示したような平行するルーバー１の切れ目Ｇ同士が格子面で外観的に繋がって線状模様を形成する化粧格子に限らず、様々な格子パターンで全体的又は部分的にルーバー１の継ぎ足しを要するものであればよい。
【符号の説明】
【００２８】
１Ａ，１Ｂ    ルーバー
１０          中空部
１１          奥広溝部
１２          ビスホール突条
２            連結材
２１          短筒体
２１ａ        凹陥部
２２          座板
２２ａ        溝部
２２ｃ        ボルト挿通孔
２３          ストッパービス
２４          ボルト
２４ａ        ボルト頭部
２５          ナット
ｄ            小間隔
ｓ            間隔（相互の端部の離間）
【図１】
2020007740.tif 000003
【図２】
2020007740.tif 000004
【図３】
2020007740.tif 000005
【図４】
2020007740.tif 000006
【図５】
2020007740.tif 000007
【図６】
2020007740.tif 000008
【図７】
2020007740.tif 000009
【図８】
2020007740.tif 000010